(57)【要約】【課題】セットされた媒体の先端側の姿勢の適正化が可能な媒体給送装置、及びこれを備えた記録装置を提供する。【解決手段】プリンター１に設けられる媒体給送装置３は、給送される媒体の先端側を傾斜姿勢に支持する第１支持面２１Ａを形成するホッパー部２１と、第１支持面２１Ａに対して給送方向の上流側で媒体を支持する第２支持面２２Ａを形成する第２支持部２２と、を備え、第２支持面２２Ａは、第１支持面２１Ａよりも緩やかな傾斜角度α２であるとともに、媒体を支持するリブであって、媒体を第１支持面２１Ａに倣わせるリブ３０を備える。【選択図】図４
2019182620.tif 000002
【特許請求の範囲】
【請求項１】
媒体を給送する給送手段と、
前記給送手段によって給送される媒体の先端側を傾斜姿勢に支持する第１支持面を形成する第１支持部と、
前記第１支持面に対して給送方向の上流側に位置し、前記第１支持面とともに前記媒体を支持する第２支持面を形成する第２支持部と、を備え、
前記第２支持面は、前記第１支持面よりも緩やかな傾斜角度であるとともに、前記媒体を支持するリブであって、前記媒体の先端側を前記第１支持面に倣わせるリブを備える、
ことを特徴とする媒体給送装置。
【請求項２】
請求項１に記載の媒体給送装置において、前記第１支持部は、第１状態と、前記第１状態よりも前記第１支持面の傾斜角度が緩やかであって、支持した前記媒体を前記給送手段に押圧する第２状態と、の間で変位可能であり、
前記第２支持面は、前記第１状態の前記第１支持面よりも緩やかな傾斜角度に形成され、
前記リブは、前記媒体を前記第１状態の前記第１支持面に倣わせるように形成される、
ことを特徴とする媒体給送装置。
【請求項３】
請求項１または請求項２に記載の媒体給送装置において、
前記給送手段は、前記給送方向と交差する幅方向の中央領域に設けられ、
前記リブは、前記幅方向において、少なくとも一部が前記給送手段と重なる位置に配置される、
ことを特徴とする媒体給送装置。
【請求項４】
請求項１から請求項３のいずれか一項に記載の媒体給送装置において、
前記リブは、前記媒体に接触して支持する接触部と、前記接触部に対して前記給送方向の上流側に連なり、前記媒体を前記接触部に向けてガイドするガイド部とを備える、
ことを特徴とする媒体給送装置。
【請求項５】
請求項４に記載の媒体給送装置において、
前記ガイド部は、水平方向に沿った面で形成されている、ことを特徴とする媒体給送装置。
【請求項６】
媒体を給送する給送手段と、
前記給送手段によって給送される媒体の先端側を傾斜姿勢に支持する第１支持面を形成する第１支持部と、
前記第１支持面に対して給送方向の上流側に位置し、前記第１支持面とともに前記媒体を支持する第２支持面を形成する第２支持部と、を備え、
前記第１支持部は、第１状態と、前記第１状態よりも前記第１支持面の傾斜角度が緩やであって、支持した前記媒体を前記給送手段に押圧する第２状態と、の間で変位可能であり、
前記第２支持面は、前記第１支持部が前記第２状態にある際の前記第１支持面より傾斜角度が急であるとともに、前記第１支持部が前記第１状態にある際に、前記媒体の先端側を前記第１支持面に倣わせる傾斜角度に形成されている、
ことを特徴とする媒体給送装置。
【請求項７】
請求項１から請求項６のいずれか一項に記載の媒体給送装置において、前記第２支持面に対して前記給送方向の上流側に位置し、前記第１支持面及び前記第２支持面とともに前記媒体を支持する面であって、少なくとも前記第２支持面より急な傾斜角度であり、前記第２支持面に対して後退した位置にある第３支持面を形成する第３支持部を備える、
ことを特徴とする媒体給送装置。
【請求項８】
請求項７に記載の媒体給送装置において、
前記第２支持面と前記第３支持面とを接続する接続面が形成されている、ことを特徴とする媒体給送装置。
【請求項９】
請求項８に記載の媒体給送装置において、
前記接続面は、水平方向に沿った面である、ことを特徴とする媒体給送装置。
【請求項１０】
媒体に記録を行う記録手段と、
前記記録手段に向けて媒体を給送する、請求項１から請求項９のいずれか一項に記載の前記媒体給送装置と、
を備えた記録装置。
【発明の詳細な説明】
【技術分野】
【０００１】
本発明は、媒体を給送する媒体給送装置、およびこれを備えた記録装置に関する。
【背景技術】
【０００２】
ファクシミリやプリンター等に代表される記録装置には、傾斜姿勢でセットされた媒体としての記録用紙を給送する媒体給送装置が設けられているものがある。媒体給送装置は、一例として、給送ローラーと、記録用紙を傾斜姿勢に支持するとともに支持した記録用紙を給送ローラーに圧接させる状態と離間させる状態とを変化可能なホッパーと、給送ローラーと接することにより給送されるべき最上位の記録用紙と次位以降の記録用紙とを分離する分離手段とを備えている。尚、媒体を媒体給送装置にセットする際には、ホッパーは給送ローラーから離間させた状態にされる。  
ホッパーに支持された記録用紙の先端は、先端規制面によって支持される。ホッパーの姿勢切り換え動作の際、記録用紙の先端は先端規制面に接しながら給送ローラーに近接するが、その際に、予備的な分離が行われる。そして記録用紙は、給送ローラーと、先端規制面の終端部との間に設定された隙間に入り込み、下流側へと進む。
【０００３】
また媒体給送装置には、ホッパーが記録用紙を支持する支持面（サポート面）を斜め上方に延長するガイド（ペーパーサポートとも呼ばれる場合がある）が設けられる場合がある。このような媒体給送装置を備えた記録装置の一例が特許文献１に開示されている。  
尚、以下において、ホッパーが記録用紙を支持する面をホッパー支持面と言い、ガイドがそれより上方で記録用紙を支持する面をガイド支持面と称する。
【先行技術文献】
【特許文献】
【０００４】
【特許文献１】特開２０１６−３７３５５号公報
【発明の概要】
【発明が解決しようとする課題】
【０００５】
媒体給送装置においては、ホッパー支持面とガイド支持面とを、異なる傾斜角度に設定する必要性が生じる場合がある。例えば、装置背面側のスペースを節約する場合、ガイド支持面をホッパー支持面よりも急角度に設定することによって実現できる。また、記録用紙をセットする際の作業性の観点では、用紙セット口を拡げる為に、ガイド支持面はホッパー支持面よりも緩やかな角度に設定することが好ましい。
【０００６】
しかしながら、この様にホッパー支持面とガイド支持面とが異なる傾斜角度となると、セットされる記録用紙の先端側は上に凸となる様に、或いは下に凸となる様に湾曲する。この様な湾曲が生じると、いずれの場合であっても記録用紙の先端側はホッパー支持面に沿った姿勢とならず、用紙先端が、ホッパー支持面の下端部から給送ローラー側に離れてしまう。この様に記録用紙の先端がホッパー支持面の下端部から給送ローラー側に離れてしまうと、給送ローラーと、先端規制面の終端部との間に設定された隙間に用紙先端が入り込んでしまい、重送を招く虞がある。また、上述した予備分離が充分に行えず、それによって重送を招き易くなる虞がある。
【０００７】
そこで本発明はこの様な状況に鑑み成されたものであり、その目的は、セットされた媒体の先端側の姿勢の適正化が可能な媒体給送装置、及びこれを備えた記録装置を提供することにある。
【課題を解決するための手段】
【０００８】
上記課題を解決するための、本発明の第１の態様に係る媒体給送装置は、媒体を給送する給送手段と、前記給送手段によって給送される媒体の先端側を傾斜姿勢に支持する第１支持面を形成する第１支持部と、前記第１支持面に対して給送方向の上流側に位置し、前記第１支持面とともに前記媒体を支持する第２支持面を形成する第２支持部と、を備え、前記第２支持面は、前記第１支持面よりも緩やかな傾斜角度であるとともに、前記媒体を支持するリブであって、前記媒体の先端側を前記第１支持面に倣わせるリブを備えることを特徴とする。
【０００９】
本態様によれば、前記媒体は、前記第１支持面と前記第２支持面とで支持されるが、前記第２支持面が前記第１支持面よりも緩やかな傾斜角度であるので、前記媒体をセットするセット口が拡がり、前記媒体をセットする際の作業性が良好となる。  
その上で前記第２支持面には、前記媒体を支持するリブであって、前記媒体の先端側を前記第１支持面に倣わせるリブが設けられているので、セットされた前記媒体の先端側の姿勢を適正にでき、ひいては重送を抑制できる。
【００１０】
本発明の第２の態様は、第１の態様において、前記第１支持部は、第１状態と、前記第１状態よりも前記第１支持面の傾斜角度が緩やかであって、支持した前記媒体を前記給送手段に押圧する第２状態と、の間で変位可能であり、前記第２支持面は、前記第１状態の前記第１支持面よりも緩やかな傾斜角度に形成され、前記リブは、前記媒体を前記第１状態の前記第１支持面に倣わせるように形成されることを特徴とする。  
本態様によれば、前記第１支持部が、第１状態と第２状態との間で変位可能である場合に、第１の態様と同様の作用効果が得られる。
【００１１】
本発明の第３の態様は、第１の態様または第２の態様において、前記給送手段は、前記給送方向と交差する幅方向の中央領域に設けられ、前記リブは、前記幅方向において、少なくとも一部が前記給送手段と重なる位置に配置される、ことを特徴とする。
【００１２】
本態様によれば、前記給送手段は、前記給送方向と交差する幅方向の中央領域に設けられ、前記リブは、前記幅方向において、少なくとも一部が前記給送手段と重なる位置に配置されるので、前記幅方向のサイズの異なる複数種類の媒体のいずれに対しても、前記リブがより確実に前記媒体を支持する構成とすることができる。
【００１３】
本発明の第４の態様は、第１の態様から第３の態様のいずれかにおいて、前記リブは、前記媒体に接触して支持する接触部と、前記接触部に対して前記給送方向の上流側に連なり、前記媒体を前記接触部に向けてガイドするガイド部とを備える、ことを特徴とする。
【００１４】
本態様によれば、前記リブは、前記媒体に接触して支持する接触部と、前記接触部に対して前記給送方向の上流側に連なり、前記媒体を前記接触部に向けてガイドするガイド部とを備えるので、前記媒体をセットする際に、前記媒体を円滑にリブ上に導くことができる。
【００１５】
本発明の第５の態様は、第４の態様において、前記ガイド部は、水平方向に沿った面で形成されている、ことを特徴とする。  
本態様によれば、前記ガイド部が水平方向に沿った面で形成される媒体給送装置において、第４の態様の同様の作用効果が得られる。
【００１６】
本発明の第６の態様に係る媒体給送装置は、媒体を給送する給送手段と、前記給送手段によって給送される媒体の先端側を傾斜姿勢に支持する第１支持面を形成する第１支持部と、前記第１支持面に対して給送方向の上流側に位置し、前記第１支持面とともに前記媒体を支持する第２支持面を形成する第２支持部と、を備え、前記第１支持部は、第１状態と、前記第１状態よりも前記第１支持面の傾斜角度が緩やであって、支持した前記媒体を前記給送手段に押圧する第２状態と、の間で変位可能であり、前記第２支持面は、前記第１支持部が前記第２状態にある際の前記第１支持面より傾斜角度が急であるとともに、前記第１支持部が前記第１状態にある際に、前記媒体の先端側を前記第１支持面に倣わせる傾斜角度に形成されていることを特徴とする。
【００１７】
本態様によれば、前記第２支持面は、前記第１支持部が前記第１状態にある際に、前記媒体の先端側を前記第１支持面に倣わせる傾斜角度に形成されているので、セットされた前記媒体の先端側の姿勢を適正にでき、ひいては重送を抑制できる。  
そして前記媒体は、前記第１支持面と前記第２支持面とで支持されるが、前記第２支持面が、前記第１支持部が前記第２状態をとる際の前記第１支持面よりも傾斜角度が急であるので、前記第２支持面の背面側のスペースを抑制でき、装置の小型化或いは装置の設置スペースの節約に資すことができる。
【００１８】
本発明の第７の態様は、第１から第６の態様のいずれかにおいて、前記第２支持面に対して前記給送方向の上流側に位置し、前記第１支持面及び前記第２支持面とともに前記媒体を支持する面であって、少なくとも前記第２支持面より急な傾斜角度であり、前記第２支持面に対して後退した位置にある第３支持面を形成する第３支持部を備えることを特徴とする。
【００１９】
本態様によれば、前記第２支持面に対して前記給送方向の上流側に位置し、前記第１支持面及び前記第２支持面とともに前記媒体を支持する面であって、少なくとも前記第２支持面より急な傾斜角度であり、前記第２支持面に対して後退した位置にある第３支持面を形成する第３支持部を備えるので、前記媒体をより確実に支持できる。加えて、前記第３支持面は、少なくとも前記第２支持面より急な傾斜角度であるので、前記第３支持面の背面側のスペースを節約でき、装置の小型化或いは装置の設置スペースの節約に資すことができる。
【００２０】
本発明の第８の態様は、第７の態様において、前記第２支持面と前記第３支持面とを接続する接続面が形成されている、ことを特徴とする。
【００２１】
本態様によれば、前記第２支持面と前記第３支持面とを接続する接続面が形成されているので、剛性が低く撓み易い媒体をセットした際、前記第２支持面と前記第３支持面とに加え前記接続面の少なくとも一部を利用して媒体を支持でき、即ちより適切に媒体を支持できる。
【００２２】
本発明の第９の態様は、第８の態様において、前記接続面は、水平方向に沿った面である、ことを特徴とする。  
本態様によれば、前記接続面は水平方向に沿った面であるので、より適切に媒体を支持できる。
【００２３】
本発明の第１０の態様に係る記録装置は、媒体に記録を行う記録手段と、前記記録手段に向けて媒体を給送する、第１の態様から第９の態様のいずれか一項に記載の前記媒体給送装置と、を備えている。  
本態様によれば、記録装置において、上述した第１の態様から第９の態様のいずれかの作用効果が得られる。
【図面の簡単な説明】
【００２４】
【図１】第１実施形態に係るプリンターの外観斜視図。
【図２】プリンターの搬送経路を示す側断面図。
【図３】プリンターにおいて給送口のカバーを開いた状態を示す斜視図。
【図４】プリンターに設けられた媒体給送装置を示す側断面図。
【図５】プリンターに設けられた媒体給送装置を示す斜視図。
【図６】媒体給送装置の要部拡大斜視図。
【図７】ホッパー部が第１状態である媒体給送装置の側断面図。
【図８】ホッパー部が第２状態である媒体給送装置の側断面図。
【図９】分離ローラー周辺の拡大斜視図。
【図１０】媒体戻し部材が第２姿勢の状態を示す側断面図。
【図１１】媒体戻し部材の戻し作用部が給送方向において給送ローラーと分離ローラーとのニップ位置と重なる状態を示す側断面図。
【図１２】媒体戻し部材が第１姿勢の状態を示す側断面図。
【図１３】媒体給送装置の下流側の経路面を形成する経路部材を示す斜視図。
【図１４】図１３におけるＢ部拡大斜視図。
【図１５】第２実施形態に係る媒体給送装置を示す概略側断面図。
【発明を実施するための形態】
【００２５】
以下、本発明の一実施形態に係る記録装置を図面に基づいて説明する。記録装置の一例としてインクジェットプリンター１（以下、単にプリンター１と称する）を挙げる。  
尚、各実施形態において同一の構成については、同一の符号を付し、最初の実施形態においてのみ説明し、以後の実施形態においてはその構成の説明を省略する。
【００２６】
また、各図において示すＸ−Ｙ−Ｚ座標系はＸ方向が記録媒体の幅方向、すなわち装置幅方向を示し、Ｙ方向が記録装置内の搬送経路における記録媒体の搬送方向、すなわち装置奥行き方向を示し、Ｚ方向が装置高さ方向を示している。
【００２７】
［第１実施形態］
■■■プリンターの概要■■■
図１を参照して、プリンター１の全体構成について説明する。プリンター１は、媒体にインクジェット記録を行う記録ヘッド１８（図２）を装置本体２内に備えて構成されている。媒体としては、例えば、普通紙や厚紙、薄紙、写真用紙等の用紙が挙げられる。  
プリンター１は、装置本体２と、装置本体２内に設けられた媒体給送装置３とを備えている。装置本体２の装置前面側には操作部４が設けられている。操作部４には表示パネルやスイッチ等の操作手段が設けられている。操作部４の−Ｚ方向には、排出トレイ５が設けられている。排出トレイ５は、装置本体２内に収納された状態（図１）と、装置前面側に突出して装置本体２の前面側に展開した状態（不図示）とを切り換え可能に構成されている。
【００２８】
装置本体２において排出トレイ５の−Ｚ方向側には、媒体を収容する媒体収容カセット６が設けられている。本実施形態では、媒体収容カセット６は、装置本体２の前面側から装置本体２に対して着脱可能に構成されている。尚、本実施形態において媒体収容カセット６には、一例としてＡ４サイズの媒体が収容されている。  
また、図１において、装置本体２の−Ｙ方向側端部には、開閉可能なカバー７が設けられており、図３に示すようにカバー７を開くことにより、媒体給送装置３（図２）を利用した用紙の給紙が行える様になっている。
【００２９】
＜＜＜媒体搬送路の概要＞＞＞
図２において、媒体搬送路１０について説明する。図２において符号Ｐ−１が付された二点鎖線は、媒体収容カセット６から排出トレイ５までの媒体搬送路１０に沿って搬送される媒体を示している。装置本体２には、媒体搬送路１０に沿って、ピックアップローラー１３、反転ローラー１４、搬送ローラー対１５、「記録手段」としての記録ヘッド１８及び排出ローラー対１６の順に配置されている。
【００３０】
ピックアップローラー１３は、媒体収容カセット６の＋Ｚ方向側に設けられ、回動軸１７を回動支点として、ピックアップローラー１３が媒体収容カセット６に収容された媒体に対して接離するように回動可能に構成されている。ピックアップローラー１３は、媒体収容カセット６に収容された媒体と接することにより、媒体収容カセット６に収容された媒体の最上位の媒体を媒体搬送路１０に沿って搬送方向下流側に搬送する。
【００３１】
反転ローラー１４の周囲には、不図示の複数の従動ローラーが反転ローラー１４に対して従動回転可能に設けられている。媒体収容カセット６から送り出された媒体は、反転ローラー１４によって湾曲反転されて、搬送方向下流側の搬送ローラー対１５に送られる。搬送ローラー対１５は、反転ローラー１４から送られた媒体を、記録ヘッド１８と対向する領域に送る。
【００３２】
記録ヘッド１８は、キャリッジ１９の下部に設けられており、−Ｚ方向にインク（液体）を吐出可能に構成されている。キャリッジ１９は、装置本体２内においてＸ軸方向に往復動可能に構成されている。記録ヘッド１８は、搬送ローラー対１５により送られてきた媒体に対してインクを吐出し、媒体の記録面に記録を実行する。  
記録が実行された媒体は、記録ヘッド１８の搬送方向下流側に設けられた排出ローラー対１６にニップされて、装置前面側に突出する排出トレイ５に向けて排紙される。  
また、図２において、符号Ｐ−２が付された一点鎖線は、反転ローラー１４の＋Ｚ方向に配置された媒体給送装置３における媒体の搬送経路を示している。
【００３３】
＜＜＜媒体給送装置について＞＞＞
次いで、媒体給送装置３について説明する。図１〜図３において装置本体２の−Ｙ方向側端部の上部に設けられるカバー７は、装置本体２に対して閉じた状態（図１及び図２）と、開いた状態（図３）とを切り換え可能に構成されている。図３において、カバー７を装置本体２に対して開いた状態とすると、給送口２０（図２及び図３）が開口状態となり、給送口２０から媒体給送装置３に媒体を差し入れることができる。
【００３４】
図４及び図５において、媒体給送装置３は、媒体を支持する「第１支持部」としてのホッパー部２１と、第２支持部２２と、「給送手段」としての給送ローラー２４と、分離ローラー２５とを備えている。  
給送ローラー２４及び分離ローラー２５は、図５に示すように、媒体の給送方向と交差する幅方向（Ｘ軸方向）の中央領域に設けられている。プリンター１において、媒体は、所謂センター給紙方式により給送される。
【００３５】
ホッパー部２１は、給送ローラー２４によって給送される媒体の先端側を傾斜姿勢に支持する第１支持面２１Ａを形成している。ホッパー部２１は、媒体をセットする場合に、第１支持面２１Ａが給送ローラー２４から離間する第１状態（図７）と、媒体を給送する場合に、第１状態よりも給送ローラー２４に第１支持面２１Ａが近づく第２状態（図８）と、の間で変位可能に構成されている。
【００３６】
ホッパー部２１は、第１支持面２１Ａ上に媒体がセットされる場合には、第１支持面２１Ａが給送ローラー２４から離間した第１状態をとる。  
ホッパー部２１は、搬送方向上流側を揺動支点として搬送方向下流側が揺動可能に構成され、不図示の付勢手段により、第１支持面２１Ａが給送ローラー２４側に押し上げられている。この構成により、給送ローラー２４によって媒体を給送する場合に、第１支持面２１Ａ上にセットされた媒体が給送ローラー２４に接触する。
【００３７】
第２支持部２２は、第１支持面２１Ａに対して給送方向の上流側に位置し、第１支持面２１Ａとともに媒体を支持する第２支持面２２Ａを形成している。第２支持面２２Ａは、水平方向であるＹ軸方向に対して傾斜角度α２（図７）で傾斜している。  
第２支持面２２Ａの傾斜角度α２は、図７に示す第１状態の第１支持面２１Ａの傾斜角度α１よりも小さい角度である。つまり、第２支持面２２Ａは、第１状態の第１支持面２１Ａよりも緩やかな傾斜角度になっている。
【００３８】
第２支持面２２Ａには、媒体を支持するリブ３０が設けられている。本実施形態において、リブ３０は、媒体の給送方向と交差する幅方向（Ｘ軸方向）に一対で設けられる第１リブ３１と、第１リブ３１の上流側に設けられる第２リブ３２と、によって形成されている。第２リブ３２は、図６に示すように、二つの第１リブ３１の間に設けられている。また、リブ３０は、図５に示すように、幅方向（Ｘ軸方向）において、少なくとも一部が給送ローラー２４と重なる位置に配置されている。
【００３９】
媒体給送装置３において、第２支持部２２の給送方向の上流側（−Ｙ方向）には、第３支持部２３が設けられている。第３支持部２３は、第２支持面２２Ａに対して給送方向の上流側に位置し、第１支持面２１Ａ及び第２支持面２２Ａとともに媒体を支持する面であって、少なくとも第２支持面２２Ａより急な傾斜角度α３であり、第２支持面２２Ａに対して後退した位置（−Ｙ方向の位置）にある第３支持面２３Ａを有する。
【００４０】
第３支持部２３は、図２及び図３に示すように、装置本体２の−Ｙ方向側に収納された収納状態と、図４に示すように、カバー７を開けて装置本体２内から引き出されて、水平方向であるＹ軸方向に対して傾斜角度α３（図７）で傾斜する引き出し状態とを切り換え可能に構成されている。本実施形態において、第３支持部２３は一例として多段式のトレイとして構成されている。尚、第３支持部２３は、多段式ではなく一段のトレイとして構成してもよい。
【００４１】
より具体的には、第３支持部２３は第１トレイ２３ａ、第２トレイ２３ｂ及び第３トレイ２３ｃを備えている。第１トレイ２３ａと第２トレイ２３ｂとは互いにスライド移動可能に構成されている。同様に第２トレイ２３ｂと第３トレイ２３ｃも互いにスライド移動可能に構成されている。第３支持部２３は、各トレイを互いにスライドさせることで、媒体搬送方向に沿ってその長さを伸縮可能に構成されている。尚、図４では、第３支持部２３において三段全てのトレイを引き出した状態としているが一段のみ、第１トレイ２３ａに第２トレイ２３ｂ及び第３トレイ２３ｃが収納された状態でも使用が可能である。  
第３支持部２３は、引き出し状態において、傾斜角度α３で傾斜する第３支持面２３Ａを形成する。尚、厳密には、各トレイが形成する支持面は、各トレイのスライド方向と交差する方向においてトレイの厚み分だけずれることになるが、本実施形態では、同一の面を形成するものとして説明する。
【００４２】
また、第２支持面２２Ａと第３支持面２３Ａとの間には、第２支持面２２Ａと第３支持面２３Ａとを接続する接続面２６が形成されている。  
接続面２６は、第２支持面２２Ａの上端において第２支持面２２Ａに接続されており、水平方向であるＹ軸方向に沿って延びる面として形成されている。尚、接続面２６は、Ｙ軸方向に沿って延びる平坦な面として構成したが、これに限定されず、例えば、傾斜角度α２よりも緩やかな傾斜面であってもよい。
【００４３】
媒体給送装置３による給送が行われる前は、ホッパー部２１は、図７のように給送ローラー２４から離間した第１状態になっており、この状態で媒体がセットされる。第１状態のホッパー部２１の第１支持面２１Ａは、水平方向であるＹ軸方向に対して傾斜角度α１（図７）で傾斜している。  
ホッパー部２１の先端側（＋Ｙ方向側）には、第１支持面２１Ａに支持される媒体の先端の給送方向（＋Ｙ方向）への移動を規制する先端規制面２８が設けられている。媒体は、先端規制面２８の終端部２８ａと、給送ローラー２４との間の隙間２７を通って、給送ローラー２４と分離ローラー２５とのニップ位置に送られる。
【００４４】
給送ローラー２４による給送が行われる場合、ホッパー部２１は、図８に示すように、給送ローラー２４に対して押し上げられた第２状態になる。第２状態のホッパー部２１の第１支持面２１Ａは、水平方向であるＹ軸に対する傾斜角度が第２支持部２２の第２支持面２２Ａと略同じ状態（傾斜角度α２）となる。本実施形態において傾斜角度α２は、給送ローラー２４と分離ローラー２５とのニップ位置への望ましい媒体突入角度として設定されている。尚、ホッパー部２１が給送ローラー２４に対して押し上げられた第２状態の第１支持面２１Ａが、第２支持面２２Ａと略同じ状態とは、第１支持面２１Ａと第２支持面２２Ａとの傾斜角度が完全一致する状態だけでなく、第１支持面２１Ａと第２支持面２２Ａとに支持される媒体が傾斜角度α２を保つ範囲内で、第２支持面２２Ａの傾斜角度α２と第１支持面２１Ａの傾斜角度とのズレが許容される状態も含む。
【００４５】
ここで、第１状態（図７）のホッパー部２１に媒体をセットする際、媒体の先端が、図７において符号Ｐ−３で示す実線のように、第１支持面２１Ａに倣うようにセットされると、ホッパー部２１を第２状態にした場合に、媒体が、給送ローラー２４と分離ローラー２５との間に突入するのに適した傾斜姿勢になる。  
しかし、第１支持面２１Ａの上流側の第２支持面２２Ａの傾斜角度α２が第１支持面２１Ａの傾斜角度α１よりも小さい、すなわち、第２支持面２２Ａが、第２支持面２２Ａよりも緩やかな傾斜面であると、図７において符号Ｐ−４で示す点線のように、媒体の後端側が第２支持面２２Ａに倣い、媒体の先端が下流側に崩れるように移動する雪崩れ現象が生じることがある。媒体先端の雪崩れ現象が生じると、ホッパー部２１を第２状態にした場合に、隙間２７に複数枚の媒体が入り込む虞があり、重送を招く虞が増す。また、後述する分離用リブ３３（図９）による予備分離が充分に行えず、それによっても重送を招き易くなる場合がある。
【００４６】
この不具合を抑制するため、第１支持面２１Ａよりも緩やかな第２支持面２２Ａには、リブ３０が設けられている。リブ３０は、媒体を支持して第１支持面２１Ａに倣わせるように構成されている。  
より具体的には、リブ３０は、媒体に接触して支持する接触部３１ａと、接触部３１ａに対して給送方向の上流側に連なり、媒体を接触部３１ａに向けてガイドするガイド部３２ａとを備える。本実施形態において、接触部３１ａは第１リブ３１が形成し、ガイド部３２ａは第２リブ３２が形成している。ガイド部３２ａは、水平方向に沿った面で形成されている。尚、ガイド部３２ａは、例えば、接続面２６から接触部３１ａに向かって下る斜面に形成することもできる。尚、第２リブ３２には、接触部３１ａとともに媒体を支持する接触部３２ｂが設けられている。  
リブ３０は、第１リブ３１と第２リブ３２とを備える本実施形態の構成のように、複数のリブを組み合わせて形成する場合の他、一つのリブに接触部とガイド部を形成する構成とすることも可能である。
【００４７】
以上のように、媒体給送装置３は、媒体を給送する給送ローラー２４と、給送ローラー２４によって給送される媒体の先端側を傾斜姿勢に支持する第１支持面２１Ａを形成するホッパー部２１と、第１支持面２１Ａに対して給送方向の上流側に位置し、第１支持面２１Ａとともに媒体を支持する第２支持面２２Ａを形成する第２支持部２２と、を備え、第２支持面２２Ａは、第１支持面２１Ａよりも緩やかな傾斜角度α２であるとともに、媒体を支持するリブであって、媒体の先端側を第１支持面２１Ａに倣わせるリブ３０を備えるので、以下の作用効果が得られる。
【００４８】
すなわち、媒体は、第１支持面２１Ａと第２支持面２２Ａとで支持されるが、第２支持面２２Ａが第１支持面２１Ａよりも緩やかな傾斜角度α２であるので、媒体をセットする給送口２０が拡がり、媒体をセットする際の作業性が良好となる。  
その上で第２支持面２２Ａには、媒体を支持するリブであって、媒体の先端側を第１支持面２１Ａに倣わせるリブ３０が設けられているので、セットされた媒体の先端側の姿勢を適正にでき、ひいては重送を抑制できる。
【００４９】
また、ホッパー部２１は、第１状態（図７）と、第１状態よりも第１支持面２１Ａの傾斜角度が緩やかであって、支持した媒体を給送ローラー２４に押圧する第２状態（図８）と、の間で変位可能であり、第２支持面２２Ａは、第１状態の第１支持面２１Ａの傾斜角度α１よりも緩やかな傾斜角度α２に形成され、リブ３０は、媒体を第１状態の第１支持面２１Ａに倣わせるように形成される。この構成により、第１状態と第２状態との間で変位可能なホッパー部２１を備える媒体給送装置３において、セットされた媒体の先端側の姿勢を適切にすることができる。
【００５０】
また、媒体給送装置３において、給送ローラー２４は、給送方向と交差する幅方向の中央領域に設けられ、リブ３０は、幅方向において、少なくとも一部が給送ローラー２４と重なる位置に配置されるので、例えば、幅方向のサイズの異なる媒体を給送する場合に、いずれのサイズの媒体に対してもリブ３０による支持が確実に行われる構成とすることができる。
【００５１】
また、リブ３０は、媒体に接触して支持する接触部３１ａと、接触部３１ａに対して給送方向の上流側に連なり、媒体を接触部３１ａに向けてガイドするガイド部３２ａとを備えるので、給送口２０から媒体をセットする際に、媒体を円滑にリブ３０上に導くことができる。本実施形態において、ガイド部３２ａは、水平方向に沿った面で形成されている。
【００５２】
また、媒体給送装置３は、第２支持面２２Ａに対して前記給送方向の上流側に位置し、第１支持面２１Ａ及び第２支持面２２Ａとともに媒体を支持する面であって、少なくとも第２支持面２２Ａより急な傾斜角度α３であり、第２支持面２２Ａに対して後退した位置（−Ｙ方向の位置）にある第３支持面２３Ａを形成する第３支持部２３を備えている。  
媒体給送装置３が第３支持部２３を備えることにより、媒体をより確実に支持できる。加えて、第３支持面２３Ａは、少なくとも第２支持面２２Ａより急な傾斜角度α３であるので、第３支持面２３Ａの背面側のスペースを節約でき、装置の小型化或いは装置の設置スペースの節約に資すことができる。
【００５３】
また、媒体給送装置３において、第２支持面２２Ａと第３支持面２３Ａとを接続する接続面２６が形成されているので、例えば、剛性が低く撓み易い媒体をセットした際、第２支持面２２Ａと第３支持面２３Ａとに加え、接続面２６の少なくとも一部を利用して媒体を支持でき、即ちより適切に媒体を支持できる。  
更に、接続面２６は、水平方向に沿った面であるので、より適切に媒体を支持できる。
【００５４】
＜＜＜媒体給送装置における他の構成について＞＞＞
◆分離用リブについて◆
図９に示すように、分離ローラー２５の幅方向の両側には、媒体給送装置３に複数枚の媒体が束（以下、媒体束と言う）でセットされた場合に、最上位の媒体を分離し易くするため、予備分離を行う分離用リブ３３（図１０も参照）が設けられている。分離用リブ３３は、幅方向において、分離ローラー２５を挟んで一対で設けられている。  
媒体給送装置３にセットされた媒体束の先端は分離用リブ３３に接触し、媒体束の先端が分離用リブ３３の斜面に倣って斜めになるように捌かれる（分離される）。このことによって、給送ローラー２４と分離ローラー２５との間に複数枚の用紙が進入することを抑制し、以って、分離ローラー２５による媒体の分離の確実性を高めることができる。
【００５５】
媒体給送装置３への媒体セット時に、媒体の雪崩れ現象が発生すると、分離用リブ３３への媒体束先端の当たり角度が小さくなり、分離用リブ３３による媒体束の先端の分離性能が低下する。その結果、重送やノンフィード等の給送不良の虞が増す。  
媒体給送装置３において、第１状態のホッパー部２１の第１支持面２１Ａに媒体束が適切な姿勢で支持されることにより、分離用リブ３３への媒体束先端の当たり角度が適切な角度となり、以って、分離用リブ３３によって媒体束の先端をより好適に捌くことができ、媒体の良好な給送を実現できる。
【００５６】
◆媒体戻し部材について◆
図９に示すように、分離用リブ３３の幅方向の更に外側には、一対の媒体戻し部材４０が設けられている。媒体戻し部材４０は、幅方向において、分離用リブ３３を挟んで一対で設けられている。尚、媒体戻し部材４０は二つに限られず、幅方向に間隔を空けて複数設けることができる。
【００５７】
図１０に示すように、媒体戻し部材４０は、回動軸４３を軸として回動する基部４４に取り付けられており、基部４４と一体に回動する。  
媒体戻し部材４０は回動することにより、媒体の搬送経路を側面視して、先端４２が給送ローラー２４と分離ローラー２５のニップ位置Ｎよりも上流側に位置する第１姿勢（図１２）と、先端４２がニップ位置Ｎよりも下流側に位置する第２姿勢（図１０）と、を切り替え可能に構成されている。
【００５８】
媒体戻し部材４０は、第２姿勢（図１０）から第１姿勢（図１２）に向けて姿勢変化することにより、媒体の先端を給送ローラー２４と分離ローラー２５とのニップ位置Ｎより上流側、すなわちホッパー部２１に戻す。媒体戻し部材４０は、第１姿勢（図１２）が非給送時の基本姿勢であり、給送開始前の待機状態では第１姿勢をとっている。
【００５９】
媒体戻し部材４０が、第２姿勢から第１姿勢に姿勢変化して媒体を上流側に戻す際は、媒体戻し部材４０の戻し作用部４１が媒体に接触して媒体を押し戻す。  
戻し作用部４１は、戻し作用部４１が給送ローラー２４と分離ローラー２５とのニップ位置Ｎを通る状態のとき（図１１）に、分離用リブ３３の下流側の斜面３３ａとの間で成す角βが９０°より大きい角度、すなわち、鈍角になるように形成されている。  
この構成によって、媒体戻し部材４０が第２姿勢（図１０）から第１姿勢（図１２）に姿勢変化する際に、戻し作用部４１と分離用リブ３３の斜面３３ａとの間に媒体が挟み込まれる虞を低減でき、以って、媒体戻し動作を行う際の媒体ダメージを抑制できる。
【００６０】
◆経路部材について◆
図１３において、符号５０は、媒体給送装置３の給送方向の下流側（＋Ｙ方向側）の搬送経路の経路面を形成する経路部材である。経路部材５０は、第１部材５１と第２部材５２の二つの部材で構成されている。  
図１４に示すように、第１部材５１には、Ｙ軸方向に延設されて媒体を支持する第１支持リブ５６が設けられている。第１支持リブ５６は、幅方向（Ｘ軸方向）に間隔を空けて複数設けられている。第２部材５２には、Ｙ軸方向に延設されて媒体を支持する第２支持リブ５４が設けられている。第２支持リブ５４も、幅方向に間隔を空けて複数設けられている。
【００６１】
複数の第１支持リブ５６と、複数の第２支持リブ５４は、幅方向において重ならない位置に設けられているとともに、媒体の搬送方向（Ｙ軸方向）において、一部が重なるように配置されている。つまり、複数の第１支持リブ５６と複数の第２支持リブ５４とが、櫛歯状に噛み合って第１部材５１と第２部材５２とが接続されている。  
第１部材５１において、符号５３は、第２部材５２の複数の第２支持リブ５４を受け入れる第１受け部である。第２部材５２において、符号５５は、第１部材５１の複数の第１支持リブ５６を受け入れる第２受け部である。  
以上の構成により、第１部材５１と第２部材５２との接続箇所で搬送される媒体が引っ掛かる虞を低減できる。
【００６２】
＜＜＜実施形態の変更例＞＞＞
本実施形態では、媒体給送装置３を記録装置の一例としてのプリンター１に適用したが、この構成に代えて、媒体給送装置３を画像読取装置、例えばスキャナー等に適用してもよい。
【００６３】
［第２実施形態］
図１５を参照して、第２実施形態に係る媒体給送装置６０について説明する。媒体給送装置６０において、「給送手段」としての給送ローラー２４、「第１支持部」としてのホッパー部２１、及び第３支持部２３の構成は、第１実施形態と同様であるのでその説明は省略する。媒体給送装置６０は、第１支持面２１Ａとともに媒体を支持する第２支持面６１Ａを形成する第２支持部６１に特徴を有している。  
第２支持面６１Ａは、ホッパー部２１が第２状態（図１５において点線で示す）にある際の第１支持面２１Ａより傾斜角度が急であるとともに、ホッパー部２１が第１状態（図１５において実線で示す）にある際に、媒体の先端側を第１支持面２１Ａに倣わせる傾斜角度に形成されている。すなわち、第２支持面６１Ａは、第１状態の第１支持面２１Ａの傾斜角度α１と略同じ傾斜角度の斜面に形成されている。図１５において点線で示す第２状態のホッパー部２１をα２とすると、α１＞α２である。傾斜角度α２は、給送ローラー２４と分離ローラー２５とのニップ位置への望ましい媒体突入角度として設定されている。
【００６４】
尚、「第２支持面６１Ａが、第１支持面２１Ａと略同じ傾斜角度」とは、第１支持面２１Ａと第２支持面２２Ａとの傾斜角度が完全一致する状態だけでなく、第１支持面２１Ａと第２支持面２２Ａとに支持される媒体が傾斜角度α１を保つ範囲内で、第２支持面２２Ａの傾斜角度と第１支持面２１Ａの傾斜角度α１とのズレが許容される状態も含む。
【００６５】
媒体給送装置６０が、媒体を給送する給送ローラー２４と、給送ローラー２４によって給送される媒体の先端側を傾斜姿勢に支持する第１支持面２１Ａを形成するホッパー部２１（第１支持部）と、第１支持面２１Ａに対して給送方向の上流側に位置し、第１支持面２１Ａとともに媒体を支持する第２支持面６１Ａを形成する第２支持部６１と、を備え、ホッパー部２１は、第１状態（図７）と、第１状態よりも第１支持面２１Ａの傾斜角度が緩やであって、支持した媒体を給送ローラー２４に押圧する第２状態（図８）と、の間で変位可能であり、第２支持面６１Ａは、ホッパー部２１が第２状態（図８）にある際の第１支持面２１Ａより傾斜角度が急であるとともに、ホッパー部２１が第１状態（図７）にある際に、媒体の先端側を第１支持面２１Ａに倣わせる傾斜角度に形成されていることにより、以下の作用効果が得られる。
【００６６】
すなわち、第２支持面６１Ａは、ホッパー部２１が第１状態（図１５において実線）にある際に、媒体の先端側を第１支持面２１Ａに倣わせる傾斜角度に形成されているので、セットされた媒体の先端側の姿勢を適正にでき、ひいては重送を抑制できる。  
そして媒体は、第１支持面２１Ａと第２支持面６１Ａとで支持されるが、第２支持面６１Ａが、ホッパー部２１が第２状態（図１５において点線）をとる際の第１支持面２１Ａの傾斜角度α２よりも傾斜角度が急であるので、第２支持面６１Ａの背面側のスペースを抑制でき、装置の小型化或いは装置の設置スペースの節約に資すことができる。
【００６７】
尚、本発明は上記実施形態に限定されることなく、特許請求の範囲に記載した発明の範囲内で、種々の変形が可能であり、それらも本発明の範囲内に含まれるものであることは言うまでもない。
【符号の説明】
【００６８】
１…インクジェットプリンター（記録装置）、２…装置本体、３…媒体給送装置、４…操作部、５…排出トレイ、６…媒体収容カセット、７…カバー、１０…媒体搬送路、１３…ピックアップローラー、１４…反転ローラー、１５…搬送ローラー対、１６…排出ローラー対、１７…回動軸、１８…記録ヘッド（記録手段）、１９…キャリッジ、２０…給送口、２１…ホッパー部（第１支持部）、２１Ａ…第１支持面、２２…第２支持部、２２Ａ…第２支持面、２３…第３支持部、２３Ａ…第３支持面、２４…給送ローラー、２５…分離ローラー、２６…接続面、２７…隙間、２８…先端規制面、３０…リブ、３１…第１リブ、３２…第２リブ、３３…分離用リブ、４０…媒体戻し部材、４１…戻し作用部、４２…先端、４３…回動軸、４４…基部、５０…経路部材、５１…第１部材、５２…第２部材、５３…第１受け部、５４…第２支持リブ、５５…第２受け部、５６…第１支持リブ、６０…媒体給送装置、６１…第２支持部、６１Ａ…第２支持面
【図１】
2019182620.tif 000003
【図２】
2019182620.tif 000004
【図３】
2019182620.tif 000005
【図４】
2019182620.tif 000006
【図５】
2019182620.tif 000007
【図６】
2019182620.tif 000008
【図７】
2019182620.tif 000009
【図８】
2019182620.tif 000010
【図９】
2019182620.tif 000011
【図１０】
2019182620.tif 000012
【図１１】
2019182620.tif 000013
【図１２】
2019182620.tif 000014
【図１３】
2019182620.tif 000015
【図１４】
2019182620.tif 000016
【図１５】
2019182620.tif 000017